(57)【要約】【課題】本発明は、店頭販売に際し育苗管理や販売管理が簡素で間違いがなく、購入者も持ち運びが便利で育苗管理も簡潔で且つラベルも安価に済み、搬送にも便利な育苗ポット収納用容器を提供する。【解決手段】育苗ポット収納用容器は、厚手の合成趣旨フィルム（２）と透明フィルム（３）とからなり、厚手の合成趣旨フィルム２（２）は、下部（２ａ）の両側が幅狭となるようテーパ状にカットされ、上部（２ｂ）は平行とし頂上部（２ｃ）は半円状にカットされる。透明フィルム（３）は、幅狭のテーパ状と同じ形状に形成され、且つ側壁部（３ｃ）と表側の側壁部（３ｄ）との二重に折り畳み、該合成樹脂フィルム（２）側の側壁部（３ｃ）の縦長部を表側の側壁部（３ｄ）より少し長くして封印片（３ｅ）を形成しラベル収納室（３ａ）を設ける。また、合成樹脂フィルム（２）と側壁部（３ｃ）との間には育苗用ポットを入れる空間（７）を設ける。【選択図】図１
2010239879.tif 000002
【特許請求の範囲】
【請求項１】
下部の両側は下側ほど幅狭となるようテーパ状にカットされ、該テーパ状下部より上部は平行で長く且つ頂上部は半円状にカットされた厚手の合成樹脂フィルムと、
前記厚手の合成樹脂フィルムの下部を幅狭のテーパ状と同じ形状に形成され、且つ二重に折り畳んで該テーパ状の下部に接着され、前記厚手の合成樹脂フィルム側に対向する側壁部と表側の側壁部との二重に折り畳み、該合成樹脂フィルム側に対向する側壁部の縦長部を表側の側壁部より少し上に長くして封印片を形成した前記透明フィルムと、
を備えてなる育苗ポット収納用容器。
【請求項２】
前記透明フィルムには、ラベル収納部を形成すると共に、表側の側壁部上橋部には両面接着部を設けてなることを特徴とする請求項１に記載の育苗ポット収納用容器。
【請求項３】
前記厚手の合成樹脂フィルムと透明フィルムの後側の側壁部との間には育苗用ポットを入れる空間が形成されることを特徴とする請求項１又は請求項２に記載の育苗ポット収納用容器。
【請求項４】
前記厚手の合成樹脂フィルムの上部には把持用長穴を開口したことを特徴とする請求項１または請求項２または請求項３に記載の育苗ポット収納用容器。
【請求項５】
帯状の厚手の合成樹脂フィルムを横長とし、
透明フィルムを横長として、前記合成樹脂フィルム側に対向する側壁部が表側の側壁部より少し縦に長くなるよう折り畳んで封印片を形成し、
前記厚手の合成樹脂フィルムと前記折り畳んだ透明フィルムの縦長の側壁部の裏側の間に金属製の板を置き、透明フィルムに、ラベルを収納できる幅を確保して溶着してラベル用の収納室を形成し、
前記短い側（表側）の壁部上橋部には両面接着テープを貼着し、  
前記厚手の合成樹脂フィルムの下部に、前記縦長の側壁部と短い側（表側）の側壁部と封印片を設け  更にラベル収納室（袋部）を形成した透明フィルムを前記厚手の合成樹脂フィルムの下部の上に置き、Ｖ字型溶断治具を予め設計した位置に押し当てて、溶断と溶着し、
前記合成樹脂フィルムに前記透明フィルムを溶着した後、把持部となる長穴を裁断機で裁断すると共に、各テーパ部分の起点に丸穴のパンチングを行い、該丸穴から縦方向に切断することを特徴とする育苗用ポット収納用容器の製造方法。
【発明の詳細な説明】
【技術分野】
【０００１】
本発明は、ガーデニング等で使用される育苗ポット収納用容器、特に植物の種類、施肥の時期、移し替えの時期、開花の時期等を記載した生産管理や販売管理用のレシピ（ラベル）を収納すると共に購買した育苗ポットを収納してそのまま搬送することの出来る育苗ポット収納用容器とその製造方法に関する。
【背景技術】
【０００２】
従来の植木鉢（植木ポット）に代わる機能を有し且つ初期コストを易く抑えることができ、コンパクトな状態で廃棄可能な植物販売または観賞用の装飾カバーが提案されている。すなわち、逆円錐台形を展開した形を基本形とし、耐水性及び可撓性を有する薄手の塩化ビニールで形成した基板と、該基板の一方の側縁を設けた係止孔と、基板の他側縁に設けられた係止孔の幅より大きい幅である頭部とからなる係止突片とを有し、前記基板を底無しで、且つ上部に比べて底部が小径なテーパ筒状の形態に丸めて係止突片を係止孔の外側から差込み、係止突片の頭部を係止孔に内側から係合させるようにした装飾カバーが提案されている（特許文献１）。
【０００３】
また、製造が簡単で廉価に提供でき、生産用の軟質ポリポットであってもこれを化粧鉢風に装飾でき、適切な生産（育苗）管理又は販売管理情報を提供できるラッピングラベルとして、フィルム素材にて上下に連続する袋状又は有底の袋状に製袋されてなるポットカバーに、生産管理又は販売管理するための識別手段を備えたラベルが印刷又は貼着されたことを特徴としているものが提案されている（特許文献２）。すなわち、この文献２の図５に示すように、ポットカバー体に例えばグラビヤ着色印刷にて印刷部を設けたり、雲龍和紙などの装飾用資材を備えて植木鉢が透視できないようにしたものである。
【先行技術文献】
【特許文献】
【０００４】
【特許文献１】実開平０６−０５８７６９号
【特許文献２】特開２００２−２１１６４０
【発明の概要】
【発明が解決しようとする課題】
【０００５】
従来の育苗用の植木鉢（育苗ポット）は、鉢の中に植物の種類や開花時期等の種々の情報を記載したラベルを棒に付けて立てるか、包装容器か育苗ポットに貼り付けるようにされ、また、持ち運びに便利な形状等が工夫されている。しかし、ラベルを貼着しても水やり等で濡れたり、剥がれたりすると育苗管理や販売管理ができなくなるので再度貼り付けなければならない。また、店頭販売においては、新しい育苗用ポットには新しいラベルを貼り付け、別の植物の育苗用ポットとして使用する場合もその都度ラベルも新しく製作される。育苗用ポットを購入する場合、その分高くつくことになる。さらに、育苗ポットに植えられる植物の種類が多いとラベルとこのラベルを貼り付ける育苗用ポットも多く販売店での販売管理だけでなく、購入者の育苗管理も煩雑となる。また、育苗用ポットは小さいものが多く、購入者は後の搬送時に不便をきたす場合が多い。
【０００６】
本発明は上記する課題に対処するためになされたものであり、店頭販売に際し育苗管理や販売管理が簡素で間違いがなく、購入者も持ち運びが便利で育苗管理も簡潔で且つラベルも安価に済み、搬送にも便利な育苗ポット収納用容器とその製造方法を提供することを目的としている。
【課題を解決するための手段】
【０００７】
請求項１に記載の発明は、育苗ポット収納用容器が、下部（２ａ）の両側は下側ほど幅狭となるようテーパ状にカットされ、該テーパ状下部より上部（２ｂ）は平行で長く且つ頂上部（２ｃ）は半円状にカットされた厚手の合成樹脂フィルム（２）と、
前記厚手の合成樹脂フィルム（２）の下部を幅狭のテーパ状と同じ形状に形成され、且つ二重に折り畳んで該テーパ状の下部（２ａ）に接着され、前記厚手の合成樹脂フィルム（２）側に接着する側壁部（３ｃ）と表側の側壁部（３ｄ）との二重に折り畳み、該合成樹脂フィルム（２）側に対向する側壁部（３ｃ）の縦長部を表側の側壁部（３ｄ）より少し上に長くして封印片（３ｅ）を形成した前記透明フィルム（３）と、
を備えてなることを特徴とするものである。
【０００８】
請求項２に記載の発明は、前記透明フィルム（３）には、ラベル収納部（３ａ）を形成すると共に、表側の側壁部（３ｄ）上端部には両面接着テープ（４）を設けてなることを特徴とするものである。
【０００９】
請求項３に記載の発明は、前記厚手の合成樹脂フィルム（２）と透明フィルム（３）の後側の側壁部（３ｃ）との間には育苗用ポットを入れる空間（７）が形成されることを特徴とするものである。
【００１０】
請求項４に記載の発明は、前記厚手の合成樹脂フィルム（２）の上部（２ａ）には把持用長穴（２ｄ）を開口したことを特徴とするものである。
【００１１】
請求項５に記載の発明は、育苗用ポット収納用容器の製造方法が、
帯状の厚手の合成樹脂フィルム（２）を横長とし、
透明フィルム（３）を横長として、前記厚手の合成樹脂フィルム（２）側に対向する側壁部（３ｃ）が表側の側壁部（３ｄ）より少し縦に長くなるよう折り畳んで封印片（３ｅ）を形成し、
前記厚手の合成樹脂フィルム（２）と前記折り畳んだ透明フィルム（３）の縦長の側壁部（３ｃ）の裏側の間に金属製治具（１１）を置き、透明フィルム（３）に、ラベルを収納できる幅を確保して溶着してラベル用の収納室（３ａ）を形成し、
前記短い側（表側）の側壁部（３ｄ）上橋部には両面接着テープ（４）を貼着し、  
前記厚手の合成樹脂フィルム（２）の下部（２ａ）に、前記縦長の側壁部（３ｃ）と短い側（表側）の側壁部（３ｄ）と封印片（３ｅ）を設け  更にラベル収納室（３ａ）（袋部）を形成した透明フィルム（３）を前記厚手の合成樹脂フィルム（２）の下部（２ａ）の上に置き、Ｖ字型溶断治具（１２）を予め設計した位置に押し当てて、溶断・溶着し、
前記厚手の合成樹脂フィルム（２）に前記透明フィルム（３）を溶着した後、把持部となる長穴（２ｄ）を裁断機で裁断すると共に、各テーパ部分の起点に丸穴（２ｅ）のパンチングを行い、該丸穴から縦方向に切断することを特徴とするものである。
【発明の効果】
【００１２】
本発明の育苗ポット収納用容器を上記手段とすることによって、そのままの状態で合成樹脂フィルムと透明フィルムとの間に育苗ポットを収容し、その状態で店頭に並べたり、購入者は販売されていた状態でそのまま持ち帰りガーデニング用棚や部屋の棚などに並べて置くことができる。しかも、育苗ポットの植物が何であるか、水やりや施肥の時期等も透明フィルムを使用しているため直ちに知ることができる。更に、育苗用ポットに水やりの際或いは水性肥料等を施肥するときにはラベルを濡らすこともない。また、育苗用鉢に植える植物を変えた場合、透明フィルムの袋部に収容するラベルを交換するだけで新しい植物用のレシピとすることができる。
【図面の簡単な説明】
【００１３】
【図１】本発明の育苗ポット収納用容器の使用状態を示す全体斜視図である。
【図２】本発明の育苗ポット収納用育器の実施例を示す正面図である。
【図３】図３（Ａ）は、本発明の育苗ポット収納用容器の実施令を示す正面図のＡ−Ａ矢視断面図であり、図３（Ｂ）は、折り畳まれる透明フィルムの一部拡大断面図である。
【図４】本発明の育苗ポット収納用容器の実施令を示す正面図のＢ−Ｂ矢視断面図である。
【図５】図５（Ａ）は本発明の育苗ポット収納用容器の製作工程を示す図であり、図５（Ｂ）は横断面図である。
【発明を実施するための最良の形態】
【００１４】
図１は、本発明の育苗ポット収納用容器の使用状態を示す全体斜視図であり、図２は、この育苗ポット収納用育器１の実施例を示す正面図である。
本発明の育苗ポット収納用容器１は、上方向を長めの略楕円状に形成された厚手の合成樹脂フィルム２と、該合成樹脂フィルム１の下部２ａに袋部３ａを設け該袋部３ａの上側に封印片３ｂを設け折り畳んで形成された透明フィルム３と、で構成される。
【００１５】
前記略楕円状に形成された厚手の合成樹脂フィルム２は、下部２ａの両側は下側ほど幅狭となるようテーパ状にカットされ、該テーパ状の下部２ａより上部２ｂは平行で長く且つ頂上部２ｃは半円状にカットされている。そして半円状の頂上部２ｃより少し下側内部には持ち運びに際して手が掛かるように長穴の窓２ｄが開口されている。さらに、該窓２ｄの上部近傍にはバーコード５が貼着されている。
【００１６】
次に、袋部３ａを設けた透明フィルム３について説明する。
図３（Ａ）は、図２のＡ−Ａ矢視断面図であり、図４は、図２のＢ−Ｂ矢視断面図である。前記透明フィルム３は、前記厚手の合成樹脂フィルム２の下部２ａを幅狭のテーパ状と同じ形状に形成され、且つ二重に折り畳んで該テーパ状とした下部２ａに接着される。この場合、図３（Ｂ）に示すように、透明フィルム３は、厚手の合成樹脂フィルム２側に対向する側壁部３ｃと、表側の側壁部３ｄとに二重に折り畳むが、合成樹脂フィルム２側に接着する側壁部３ｃが表側の側壁部３ｄより少し上に長くなるよう折り畳む。すなわち、この少し長い部分が封印片３ｂとなるものである。このような構成とすることにより、水やりの際或いは水性肥料等を施肥するときにはラベル６を濡らすこともない。
【００１７】
また、前記透明フィルム３は、ラベル６を収容する幅と深さを有するような収容部３ａ（袋部）を形成する。そのため適宜の幅となるよう溶着部３ｅ、３ｆを設ける。
すなわち、前記透明フィルム３は、ラベル６を収容する収容部３ａ（袋部）を形成し、後述するように、封印片３ｂの内側に両面接着テープ４を設けてラベル６を収容部３ａ（袋部）に収容した後、封印する。この場合、透明フィルム３は、厚手の合成樹脂フィルム２のテーパ状の下部２ａの両側で接着する。なお、上記するように透明フィルム３の収容部３ａ（袋部）は２カ所（３ｅ、３ｆ）を溶着してあるが、この溶着は必ずしも必要なものではなく、ラベル６の大きさによっては収容部３ａ（袋部）を設けない方が良い場合もある。
【００１８】
図３（Ａ）及び図４に示すように、前記厚手の合成樹脂フィルム２と透明フィルム３の後側の側壁部３ｃとの間には一定の空間７が形成される。この空間７は、図１に示すように、育苗用ポット８が入る空間である。すなわち、本発明の育苗ポット収納用容器１は、厚手の合成樹脂フィルム２にラベル収容袋部３ａや該厚手の合成樹脂フィルム２との間に空間７を形成した透明フィルム３を貼着し、かつこれら合成樹脂フィルム２と透明フィルム３との間の空間７に育苗用ポット８を収容し、その状態で店頭に並べたり、購入者はそのまま持ち帰りガーデニング用棚や部屋の棚などに並べて置くことができるようにしたものである。しかも、育苗用ポットの植物が何であるか、水やりや施肥の時期等も知ることができる。
【００１９】
次に、本発明の育苗ポット収納用容器の製造方法について説明する。
図５（Ａ）は本発明の育苗ポット収納用容器の製作工程を示す図であり、図５（Ｂ）は横断面図である。
（１）先ず、完成した育苗ポット収納用容器１の高さＨを想定してこの高さＨよりも少し高い高さＨ’となる帯状の厚手の合成樹脂フィルム２を用意する。この場合、多数の育苗ポット収納用容器が取れるよう横長とする。
（２）段落番号［００１６］で記載したように、透明フィルム３を二つ折りとし且つ合成樹脂フィルム２側に対向する側壁部３ｃが表側の側壁部３ｄより少し上に長くなるよう折り畳み、封印片３ｂを形成する。この折り畳み作業には樹脂製の治具１０を使用する。
（３）厚手の合成樹脂フィルム２と折り畳んだ透明フィルム３の長い側壁部３ｃの裏側の間に金属製治具１１を置き、透明フィルム３に、ラベル６を収納できる幅を確保して２カ所（３ｅ、３ｆ）溶着する。こうして、透明フィルム３にラベル用の収納室（空間）３ａが出来上がる。
（４）厚手の合成樹脂フィルム２の下部に、長い側壁部３ｃと短い側（表側）の壁部３ｄと封印片３ｂを設け、更にラベル収納室（袋部）３ａを形成した透明フィルム３を置き、Ｖ字型溶断治具１２を予め設計した位置に押し当てて、溶断と溶着を行う。そして、短い側（表側）の壁部３ｄ上端部には両面接着テープ４を貼着する。
（５）合成樹脂フィルム２に透明フィルム３を溶着した後、把持部となる長穴２ｂを裁断機で裁断すると共に、各テーパ部分の起点に丸穴２ｅのパンチングを行い、この丸穴２ｅから縦方向に切断して完成する。なお、前記長穴２ｄの上部近傍にはバーコード５を貼着する。
【符号の説明】
【００２０】
１    育苗ポット収納用容器
２    厚手の合成樹脂フィルム
２ａ  厚手の合成樹脂フィルムの下部
２ｂ  厚手の合成樹脂フィルムの上部
３    透明フィルム                                                      
３ａ  ラベル収納室
３ｂ  封印片
３ｃ  厚手の合成樹脂フィルムに対向する側壁部
３ｄ  前側の側壁部
４    両面接着テープ
５    バーコード
６    ラベル
７    育苗ポット収納空間
８    育苗ポット
【図１】
2010239879.tif 000003
【図２】
2010239879.tif 000004
【図３】
2010239879.tif 000005
【図４】
2010239879.tif 000006
【図５】
2010239879.tif 000007